(57)【要約】【課題】既設の吊りボルトを容易に流用して取り付けることができる天井埋込型室内機を提供すること。【解決手段】天井埋込型室内機は、ケーシング本体１と、このケーシング本体１の対向する２つの側面１１からそれぞれ外側に突出して設けられたアタッチメント２とを備えている。建屋の天井には、一方向に延在すると共に相対向する第１，第２のレール部５１，５２が設けられ、これら第１，第２のレール部５１，５２には、それぞれ２本の吊りボルト５が吊り下げられている。アタッチメント２は、複数の挿通穴２１を有している。挿通穴２１は、吊りボルト５を挿通するための穴である。【選択図】図１
2015124970.tif 000002
【特許請求の範囲】
【請求項１】
ケーシング本体（１）と、
上記ケーシング本体（１）の対向する２つの側面（１１）からそれぞれ外側に突出して設けられたアタッチメント（２）と
を備え、
上記アタッチメント（２）は、吊りボルト（５）を挿通するための複数の挿通穴（２１）を有していることを特徴とする天井埋込型室内機。
【請求項２】
請求項１に記載の天井埋込型室内機において、
上記アタッチメント（２）は、上記ケーシング本体（１）と一体に連続して形成されていることを特徴とする天井埋込型室内機。
【請求項３】
請求項１に記載の天井埋込型室内機において、
上記アタッチメント（２）は、上記ケーシング本体（１）に連結して設けられていることを特徴とする天井埋込型室内機。
【請求項４】
請求項１から３のいずれか１つに記載の天井埋込型室内機において、
上記アタッチメント（２）の上記複数の挿通穴（２１）のうちの少なくとも１つは、長穴であることを特徴とする天井埋込型室内機。
【請求項５】
ケーシング本体（１）と、
上記ケーシング本体（１）の対向する２つの側面（１１）からそれぞれ外側に突出して設けられたアタッチメント（２）と
を備え、
上記アタッチメント（２）は、吊りボルト（５）を挿通するための１つの挿通穴（２８）を有し、
上記挿通穴（２８）は、長穴であることを特徴とする天井埋込型室内機。
【発明の詳細な説明】
【技術分野】
【０００１】
本発明は、空気調和機の天井埋込型室内機に関する。
【背景技術】
【０００２】
従来、天井埋込型室内機としては、特開２００４−２７９０１１号公報（特許文献１）に記載されたものがある。この天井埋込型室内機は、ケーシング本体を備え、このケーシング本体は、ケーシング本体の対向する２つの側面からそれぞれ外側に突出して設けられた取付部を有している。これらの取付部には、天井から吊り下げて設けられた吊りボルトを挿通するための挿通穴が１つずつ設けられている。これらの取付部の挿通穴にそれぞれ上記吊りボルトを挿通し、上記ケーシング本体を吊りボルトに取り付けている。
【先行技術文献】
【特許文献】
【０００３】
【特許文献１】特開２００４−２７９０１１号公報
【発明の概要】
【発明が解決しようとする課題】
【０００４】
しかしながら、上記従来の天井埋込型室内機では、上記ケーシング本体の各取付部に挿通穴が１つずつ設けられているだけなので、ケーシング本体を上記挿通穴の配置に対応して設けられている吊りボルトにしか取り付けることができない。ここで、天井埋込型室内機の上記挿通穴の配置は、天井埋込型室内機の機種によって異なる場合がある。このため、既に取り付けられていた既設の天井埋込型室内機の代わりにこの室内機の機種と異なる機種の室内機を新たに取り付けようとしても、既設の室内機に対応して設けられている吊りボルトを容易に流用できないという問題があった。すなわち、既設の吊りボルトを流用して、上記異なる機種の室内機を新たに取り付けるために、既設の吊りボルトの位置を変更する工事が必要になる場合があるという問題があった。
【０００５】
そこで、本発明の課題は、既設の吊りボルトを容易に流用して取り付けることができる天井埋込型室内機を提供することにある。
【課題を解決するための手段】
【０００６】
上記課題を解決するため、本発明の天井埋込型室内機は、
ケーシング本体と、
上記ケーシング本体の対向する２つの側面からそれぞれ外側に突出して設けられたアタッチメントと
を備え、
上記アタッチメントは、吊りボルトを挿通するための複数の挿通穴を有していることを特徴としている。
【０００７】
上記構成の天井埋込型室内機によれば、上記アタッチメントは、吊りボルトを挿通するための複数の挿通穴を有している。このため、既に取り付けられていた既設の天井埋込型室内機の代わりにこの室内機の機種と異なる機種の室内機を取り付けるとき、既設の室内機に対応して設けられている既設の吊りボルトを上記複数の挿通穴のうちのいずれかの挿通穴に挿通できる。したがって、既設の吊りボルトを容易に流用して取り付けることができる。
【０００８】
また、一実施形態の天井埋込型室内機では、
上記アタッチメントは、上記ケーシング本体と一体に連続して形成されている。
【０００９】
上記実施形態によれば、上記アタッチメントは、ケーシング本体と一体に連続して形成されているので、部品点数を少なくして、製造コストを低減できる。
【００１０】
また、一実施形態の天井埋込型室内機では、
上記アタッチメントは、上記ケーシング本体に連結して設けられている。
【００１１】
上記実施形態によれば、上記アタッチメントは、上記ケーシング本体に連結して設けられている。このため、例えば従来の天井埋込型室内機のケーシング本体の取付部を利用して上記アタッチメントを取り付けることができる。したがって、上記取付部をそのまま流用できて、汎用性がある。
【００１２】
また、既設の吊りボルトに対して上記アタッチメントのみを容易に取り付けることができて、吊りボルトに天井埋込型室内機をより容易に取り付けることができる。
【００１３】
また、一実施形態の天井埋込型室内機では、
上記アタッチメントの上記複数の挿通穴のうちの少なくとも１つは、長穴である。
【００１４】
上記実施形態によれば、上記アタッチメントの上記複数の挿通穴のうちの少なくとも１つは長穴であるので、既設の吊りボルトに対する上記アタッチメントの取り付けを容易に調整できて、天井埋込型室内機をより容易に取り付けることができる。
【００１５】
また、本発明の天井埋込型室内機は、
ケーシング本体と、
上記ケーシング本体の対向する２つの側面からそれぞれ外側に突出して設けられたアタッチメントと
を備え、
上記アタッチメントは、吊りボルトを挿通するための１つの挿通穴を有し、
上記挿通穴は、長穴であることを特徴としている。
【００１６】
上記構成の天井埋込型室内機によれば、上記アタッチメントは、吊りボルトを挿通するための１つの挿通穴を有し、この挿通穴が長穴である。このため、既に取り付けられていた既設の天井埋込型室内機の代わりにこの室内機の機種と異なる機種の室内機を取り付けるとき、既設の室内機に対応して設けられている既設の吊りボルトを上記挿通穴に挿通できる。また、既設の吊りボルトに対するアタッチメントの取り付けを容易に調整できる。したがって、既設の吊りボルトを容易に流用して取り付けることができる。
【発明の効果】
【００１７】
本発明の天井埋込型室内機によれば、アタッチメントが吊りボルトを挿通するための複数の挿通穴を有しているので、既設の吊りボルトを容易に流用して取り付けることができる。
【００１８】
本発明の天井埋込型室内機によれば、アタッチメントが吊りボルトを挿通するための１つの挿通穴を有し、この挿通穴は長穴であるので、既設の吊りボルトを容易に流用して取り付けることができる。
【図面の簡単な説明】
【００１９】
【図１】本発明の第１実施形態の天井埋込型室内機の外観斜視図である。
【図２】上記天井埋込型室内機の平面図である。
【図３】本発明の第２実施形態の天井埋込型室内機の平面図である。
【図４】本発明の第３実施形態の天井埋込型室内機の平面図である。
【発明を実施するための形態】
【００２０】
以下、本発明を図示の実施の形態により詳細に説明する。
【００２１】
（第１実施形態）
図１は、本発明の天井埋込型室内機の第１の実施形態の外観斜視図を示している。図１に示すように、この天井埋込型室内機は、略直方体状のケーシング本体１と、このケーシング本体１の対向する２つの側面１１からそれぞれ外側に突出して設けられた平板状のアタッチメント２とを備えている。建屋の天井には、一方向に延在すると共に相対向する第１，第２のレール部５１，５２が設けられている。これら第１，第２のレール部５１，５２には、取付金具（図示しない）を介してそれぞれ２本の吊りボルト５が吊り下げられている。
【００２２】
上記アタッチメント２は、ケーシング本体１と一体に連続して形成され、ケーシング本体１の側面１１に沿って延在している。アタッチメント２は、複数の挿通穴２１を有している。挿通穴２１は、全て吊りボルト５を挿通するための丸穴であり、挿通穴２１の大きさは、吊りボルトの外径の大きさと略同じになっている。
【００２３】
上記吊りボルト５は、上記取付金具を介して第１，第２のレール部５１，５２の延在方向に自由に移動できるようになっている。吊りボルト５は、アタッチメント２の挿通穴２１にそれぞれ挿通されている。吊りボルト５の下端部には、ナット６が螺合されている。
【００２４】
上記ケーシング本体１は、４本の吊りボルト５にナット６およびアタッチメント２によって取り付けられている。
【００２５】
図２は、上記天井埋込型室内機を上方から見た平面図である。
【００２６】
図２に示すように、ケーシング本体１は、平面視長方形状であり、ケーシング本体１の長手方向の両端にアタッチメント２が設けられている。ケーシング本体１の長手方向は、第１，第２のレール部５１，５２の延在方向と一致している。
【００２７】
上記アタッチメント２は、平面視長方形状であり、１０個の挿通穴２１を有している。挿通穴２１は、アタッチメント２の長手方向に沿って一列に配列されると共に、第１，第２のレール部５１，５２に交差するように配列されている。アタッチメント２と第１のレール部５１とが交差する部分に位置する第１の挿通穴２１１と、アタッチメント２と第２のレール部５２とが交差する部分に位置する第２の挿通穴２１２とに上記吊りボルトが挿入される。
【００２８】
なお、第１の挿通穴２１１と第２の挿通穴２１２との間の距離、すなわち、第１のレール部５１の中心と第２のレール部５２の中心との間のレール間距離Ａ１は、天井埋込型室内機の機種によって異なる場合がある。このため、アタッチメント２の挿通穴２１のうち、或る１組の挿通穴２１間の距離が既知の天井埋込型室内機のレール間距離と一致するように、挿通穴２１が設けられている。
【００２９】
例えば、上記実施形態の天井埋込型室内機の機種とは異なる機種の上記レール間距離がＡ２となる場合がある。この場合、アタッチメント２の挿通穴２１のうち第３の挿通穴２１３と第４の挿通穴２１４との間の距離がＡ２となっていて、第３，第４の挿通穴２１３，２１４に上記吊りボルトが挿入される。
【００３０】
上記構成によれば、アタッチメント２は、吊りボルト５を挿通するための複数の挿通穴２１を有している。このため、既に取り付けられていた既設の天井埋込型室内機の代わりにこの室内機の機種と異なる機種の室内機を取り付けるとき、既設の室内機に対応して設けられている既設の吊りボルト５を複数の挿通穴２１のうちのいずれかの挿通穴２１に挿通できる。したがって、既設の吊りボルト５を容易に流用して取り付けることができる。
【００３１】
具体的には、ケーシング本体１の長手方向については、既設の吊りボルト５をレール部５１の延在方向に沿って移動させ、アタッチメント２の挿通穴２１に、吊りボルト５を容易に挿通させることができる。
【００３２】
一方、ケーシング本体１の短手方向、すなわち上記レール間距離については、既設の室内機に対応して設けられている既設のレールのレール間距離に対応したアタッチメント２の１組の挿通穴２１に、吊りボルト５を容易に挿通させることができる。
【００３３】
また、アタッチメント２は、ケーシング本体１と一体に連続して形成されているので、部品点数を少なくして、製造コストを低減できる。
【００３４】
（第２実施形態）
図３は、本発明の第２実施形態の天井埋込型室内機を上方から見た平面図である。上記第１実施形態と相違する点を説明すると、この第２実施形態では、アタッチメント２は、ケーシング本体１に連結して設けられている。なお、この第２の実施形態において、上記第１の実施形態と同一の符号は、上記第１の実施形態と同じ構成であるため、その説明を省略する。
【００３５】
図３に示すように、ケーシング本体１は、既存の天井埋込型室内機のケーシング本体と同様に、ケーシング本体１の対向する２つの側面からそれぞれ外側に突出して設けられた取付部１２を２つずつ有している。これらの取付部１２には、ボルト３１を挿通するためのボルト挿通穴が１つずつ設けられている。
【００３６】
アタッチメント２は、アタッチメント２の短手方向の一方の端面から突出する２つの突出部２５を有している。これらの突出部２５には、ボルト３１を挿通するためのボルト挿通穴が１つずつ設けられている。突出部２５のボルト挿通穴とケーシング本体１の取付部１２のボルト挿通穴とにボルト３１を挿通して取り付けて、アタッチメント２は、ケーシング本体１に取り付けられている。
【００３７】
したがって、既存の天井埋込型室内機のケーシング本体の取付部１２の挿通穴を利用して、アタッチメント２を上記ケーシング本体に取り付けることができる。したがって、取付部１２をそのまま流用できて、汎用性がある。
【００３８】
また、既設の吊りボルト５に対してアタッチメント２のみを容易に取り付けることができて、吊りボルト５に天井埋込型室内機をより容易に取り付けることができる。
【００３９】
（第３実施形態）
図４は、本発明の第３実施形態の天井埋込型室内機を上方から見た平面図である。上記第１実施形態と相違する点を説明すると、この第３実施形態では、図４に示すように、アタッチメント２は、吊りボルト５を挿通するための１つの挿通穴２８を有し、この挿通穴２８は長穴である。なお、この第３の実施形態において、上記第１の実施形態と同一の符号は、上記第１の実施形態と同じ構成であるため、その説明を省略する。
【００４０】
アタッチメント２は、吊りボルト５を挿通するための１つの挿通穴２８を有し、この挿通穴２８は長穴である。このため、既に取り付けられていた既設の天井埋込型室内機の代わりにこの室内機の機種と異なる機種の室内機を取り付けるとき、既設の室内機に対応して設けられている既設の吊りボルト５を挿通穴２８に挿通できる。また、既設の吊りボルト５に対するアタッチメント２の取り付けを容易に調整できる。したがって、既設の吊りボルト５を容易に流用して取り付けることができる。
【００４１】
なお、上記第１，第２実施形態では、アタッチメント２の複数の挿通穴２１は全て丸穴であったが、複数の挿通穴のうちの少なくとも１つは、長穴であってもよい。複数の挿通穴のうちの少なくとも１つを長穴にすることで、既設の吊りボルトに対するアタッチメントの取り付けを容易に調整できて、天井埋込型室内機をより容易に取り付けることができる。
【００４２】
また、上記第１，第２実施形態では、アタッチメント２は、１０個の挿通穴２１を有していたが、挿通穴が２個以上９個以下設けられていてもよいし、１１個以上設けられていてもよい。
【００４３】
また、上記第１〜第３実施形態では、ケーシング本体１は、略直方体状であったが、立方体状、五角柱形状、六角柱形状などの他の形状であってもよい。
【００４４】
また、上記第１〜第３実施形態では、アタッチメント２は、平板状の部材であったが、Ｌ字状やコ字状の断面を有する部材など、他の形状の部材であってもよい。
【符号の説明】
【００４５】
１  ケーシング本体
２  アタッチメント
５  吊りボルト
１１  側面
２１，２８  挿通穴
【図１】
2015124970.tif 000003
【図２】
2015124970.tif 000004
【図３】
2015124970.tif 000005
【図４】
2015124970.tif 000006